(57)【要約】【課題】利便性を向上できる縦型電気掃除機を提供する。【解決手段】吸込口体５の上方に回動自在に設けられるとともに電動送風機７及び集塵室８を内蔵する本体部１０と、本体部１０に取り付けられて掃除時に伸長するとともに先端に使用者が把持する手元把手３を有する延長管２と、本体部１０に設けられて本体部１０の運搬時に把持する本体把手１１と、収納時に短縮した延長管２の伸縮をロックするロック機構２３、１５ａと、ロック機構２３、１５ａを解除するとともに本体把手１１の近傍に延長管２に対して本体把手１１と同じ側に設けられる解除スイッチ１７とを備えた。【選択図】図４
2007301266.tif 000002
【特許請求の範囲】
【請求項１】
吸込口体の上方に回動自在に設けられるとともに電動送風機及び集塵室を内蔵する本体部と、前記本体部に取り付けられて掃除時に伸長するとともに先端に使用者が把持する手元把手を有する延長管と、前記本体部に設けられて前記本体部の運搬時に把持する本体把手と、収納時に短縮した前記延長管の伸縮をロックするロック機構と、前記ロック機構を解除するとともに前記本体把手の近傍に前記延長管に対して前記本体把手と同じ側に設けられる解除部とを備えたことを特徴とする縦型電気掃除機。
【請求項２】
前記本体把手を把持する手で前記解除部を操作できることを特徴とする請求項１に記載の縦型電気掃除機。
【請求項３】
前記延長管は前記本体部に支持される外筒と前記外筒に嵌合してスライドする内筒とを有し、前記解除部を前記外筒に設けたことを特徴とする請求項２に記載の縦型電気掃除機。
【請求項４】
前記ロック機構は前記外筒を貫通して前記内筒に設けた凹部と係合する係合子を有し、前記解除部は前記外筒に沿ってスライド自在に設けられるとともに前記係合子と当接する当接部と前記係合子が退避する逃げ部とを有することを特徴とする請求項３に記載の縦型電気掃除機。
【請求項５】
前記延長管は、前記本体部に対して着脱自在に形成されるとともに、前記電動送風機に連通するホースに前記手元把手近傍で連結され、前記延長管を前記本体部に装着した際に、前記延長管の前記手元把手と反対側の端部が嵌合する差込口を前記本体部の下部に設けるとともに、前記本体部の上部に係止される係止部を前記延長管の周面に設けたことを特徴とする請求項１〜４のいずれかに記載の縦型電気掃除機。
【請求項６】
前記吸込口体が面する被掃除面から前記本体把手までの高さを６００〜８００ｍｍにしたことを特徴とする請求項１〜請求項５のいずれかに記載の縦型電気掃除機。
【発明の詳細な説明】
【技術分野】
【０００１】
本発明は、吸込口体の上方に電動送風機を内蔵した本体部を有する縦型電気掃除機に関し、特に使用者が把持する手元把手の位置を収納時と掃除時で可変できる縦型電気掃除機に関する。
【背景技術】
【０００２】
従来の縦型電気掃除機は特許文献１、２に開示されている。これらの縦型電気掃除機は吸込口体の上方に電動送風機及び集塵室を内蔵した本体部を備えている。本体部には運搬時に把持する本体把手が設けられる。また、本体部には伸縮可能な延長管が着脱自在に取り付けられている。延長管は使用者が掃除時に把持する手元把手を一端に有し、他端が開口する。延長管の手元把手の近傍には電動送風機に連通するホースが接続されている。これにより、延長管を本体部から取り外して先端の開口から吸引することができる。
【０００３】
本体部に取り付けられる延長管は先端の開口が塞がれ、縦型電気掃除機の収納時に短縮される。これにより、縦型電気掃除機の収納スペースを小さくする。この時、延長管はロック機構によって伸縮がロックされている。掃除を行う際に使用者は本体把手を把持して縦型電気掃除機を運搬し、延長管の周面に設けた押ボタンによりロック機構のロックを解除して延長管を伸長する。そして、使用者は手元把手を把持し、吸込口体から吸引して掃除を行うことができる。
【０００４】
【特許文献１】特開２００４−３５７８３９号公報（第７頁、第１図）
【特許文献２】特開２００５−１１０７１４号公報（第３頁−第５頁、第２図）
【発明の開示】
【発明が解決しようとする課題】
【０００５】
しかしながら、上記従来の縦型電気掃除機によると、延長管を短縮して縦型電気掃除機が収納された状態で、ロック機構を解除する押ボタンと本体把手とは延長管に対して反対側に離れて配置されている。このため、使用者は本体把手を持って縦型電気掃除機を運搬し、床面に設置した後に押ボタンの側に回り込んで移動する必要がある。従って、掃除の開始時の操作が煩雑で縦型電気掃除機の利便性が悪い問題があった。
【０００６】
本発明は、利便性を向上できる縦型電気掃除機を提供することを目的とする。
【課題を解決するための手段】
【０００７】
上記目的を達成するために本発明は、吸込口体の上方に回動自在に設けられるとともに電動送風機及び集塵室を内蔵する本体部と、前記本体部に取り付けられて掃除時に伸長するとともに先端に使用者が把持する手元把手を有する延長管と、前記本体部に設けられて前記本体部の運搬時に把持する本体把手と、収納時に短縮した前記延長管の伸縮をロックするロック機構と、前記ロック機構を解除するとともに前記本体把手の近傍に前記延長管に対して前記本体把手と同じ側に設けられる解除部とを備えたことを特徴としている。
【０００８】
この構成によると、掃除を行う際に使用者は本体把手を把持して縦型電気掃除機を運搬し、吸込口体を床面に設置して本体把手近傍の解除部を操作する。これにより、ロック機構のロックが解除され、延長管が伸長される。そして、使用者は手元把手を把持し、吸込口体から吸引して掃除を行うことができる。
【０００９】
また本発明は、上記構成の縦型電気掃除機において、前記本体把手を把持する手で前記解除部を操作できることを特徴とことを特徴としている。この構成によると、縦型電気掃除機を設置した後、本体把手を把持する手で本体把手を支持しながら解除部を同時に操作すると延長管のロックが解除される。
【００１０】
また本発明は、上記構成の縦型電気掃除機において、前記延長管は前記本体部に支持される外筒と前記外筒に嵌合してスライドする内筒とを有し、前記解除部を前記外筒に設けたことを特徴としている。この構成によると、外筒に設けた解除部の位置が延長管の伸縮に拘わらず一定になる。
【００１１】
また本発明は、上記構成の縦型電気掃除機において、前記ロック機構は前記外筒を貫通して前記内筒に設けた凹部と係合する係合子を有し、前記解除部は前記外筒に沿ってスライド自在に設けられるとともに前記係合子と当接する当接部と前記係合子が退避する逃げ部とを有することを特徴としている。
【００１２】
この構成によると、延長管を短縮すると外筒を貫通する係合子が内筒の凹部に係合する。係合子は解除部の当接部が当接して退避できないため、延長管の短縮した状態が保持される。解除部をスライド移動すると逃げ部に係合子が退避し、凹部と係合子との係合が解除されて内筒を伸長することができる。
【００１３】
また本発明は、上記構成の縦型電気掃除機において、前記延長管は、前記本体部に対して着脱自在に形成されるとともに、前記電動送風機に連通するホースに前記手元把手近傍で連結され、前記延長管を前記本体部に装着した際に、前記延長管の前記手元把手と反対側の端部が嵌合する差込口を前記本体部の下部に設けるとともに、前記本体部の上部に係止する係止部を前記延長管の周面に設けたことを特徴としている。
【００１４】
この構成によると、延長管を本体部から取り外すとホースを介して手元把手と反対側の端部から吸引することができる。延長管は手元把手と反対側の端部を差込口に差し込み、係止部を本体部の上部に係止することにより本体部に装着される。
【００１５】
また本発明は、上記構成の縦型電気掃除機において、前記吸込口体が面する被掃除面から前記本体把手までの高さを６００〜８００ｍｍにしたことを特徴としている。
【発明の効果】
【００１６】
本発明によると、延長管の伸縮をロックするロック機構の解除部を延長管に対して本体把手と同じ側の本体把手近傍に設けたので、縦型電気掃除機を運搬して床面に設置した後簡単に延長管を伸長して掃除を開始することができる。従って、縦型電気掃除機の利便性を向上することができる。
【００１７】
また本発明によると、本体把手を把持する手で解除部を操作できるので、縦型電気掃除機を運搬して床面に設置した際に本体把持部を支持しながら片手でロック機構のロックを解除することができる。従って、縦型電気掃除機の転倒を簡単に防止することができる。
【００１８】
また本発明によると、延長管は本体部に支持される外筒と外筒に嵌合してスライドする内筒とを有し、解除部を外筒に設けたので、解除部の位置を一定に保持することができる。従って、解除部を安定して操作することができ、操作性の低下を防止することができる。
【００１９】
また本発明によると、外筒を貫通する係合子を内筒の凹部に係合して延長管をロックし、係合子と当接する当接部と係合子が退避する逃げ部とを有した解除部を外筒に沿ってスライドして延長管のロックを解除するので、本体把手を把持しながら操作できる解除部を簡単に実現することができる。
【００２０】
また本発明によると、延長管の開口端が嵌合する差込口を本体部の下部に設け、本体部の上部に係止する係止部を延長管の周面に設けたので、延長管の位置を簡単に一定に保持することができる。
【００２１】
また本発明によると、被掃除面から本体把手までの高さを６００〜８００ｍｍにしたので、縦型電気掃除機を運搬する際や解除部を操作する際に使用者は屈む必要がなく、縦型電気掃除機の使用性が向上する。
【発明を実施するための最良の形態】
【００２２】
以下に本発明の実施形態を図面を参照して説明する。図１は一実施形態の縦型電気掃除機を示す側面断面図である。縦型電気掃除機１は吸込口体５の上方に回動自在の本体部１０を備えている。本体部１０は電動送風機７及び集塵室８を内蔵した第１室１０ａと、電動送風機７に電源供給するコードリール９を内蔵した第２室１０ｂとから成っている。第１室１０ａは第２室１０ｂの下方に配され、第２室１０ｂよりも前方に突出して段部１０ｃが形成されている。
【００２３】
本体部１０の第１室１０ａ内には導入口１４を介して集塵室８に連結される吸込口経路１２が設けられる。吸込口経路１２は吸込口体５の床面に面した開口部（不図示）と連通する。第１室１０ａ内の上部には導入口１４から分岐して段部１０ｃ上に開口した延長管経路１３が設けられる。
【００２４】
本体部１０の前面には延長管２が配される。延長管２は筒状に形成され、下端面２ａが開口する。延長管２の上端は閉塞され、掃除をする際に使用者が把持する手元把手３が設けられる。延長管２の手元把手３の近傍には伸縮ホース４が接続されている。伸縮ホース４は段部１０ｃで延長管経路１３に接続される。
【００２５】
図２に示すように、本体部１０の第２室１０ｂの上端の前面側には係止溝１９が設けられる。外筒１６の周面には係止溝１９に嵌合するフック１８（係止部）が突設される。延長管２の下端面２ａは段部１０ｃに設けた差込口６に嵌合され、係止溝１９にフック１８を係止して延長管２が本体部１０に装着される。
【００２６】
尚、係止溝１９の側面には付勢手段（不図示）で付勢されるロック部１９ａ（図２参照）が突出する。ロック部１９ａはフック１８の側面に設けた凹部（不図示）に係合し、延長管２の装着状態をロックする。第２室１０ｂ上面に設けた解除ボタン２０（図２参照）の押下によってロック部１９ａは後退し、延長管２の装着状態のロックを解除することができる。
【００２７】
本体部１０の上端には第２室１０ｂの後端から上方に延びて前方へ屈曲したＬ字の本体把手１１が設けられる。本体把手１１を把持して縦型電気掃除機１を運搬することができる。また、図３に示すように、本体把手１１には電動送風機７の電源をオンオフするスイッチ２１が設けられる。
【００２８】
図４は延長管２の内部構成を示す断面図である。延長管２は外筒１６及び外筒１６に内嵌する内筒１５を有している。内筒１５の上端には手元把手３と一体のストッパ３ａが取り付けられる。手元把手３、ストッパ３ａ及び内筒１５は外筒１６に対して上下方向に一体にスライドし、延長管２が伸縮可能になっている。内筒１５よりも大径のストッパ３ａが外筒１６に当接して延長管２を短縮した時の内筒１５が位置決めされる。また、延長管２を伸長した時に内筒１５は伸縮ホース４に引張られて抜け止めされる。
【００２９】
外筒１６の上端には後方に突出して本体把手１１の前端に近接するハウジング１６ａが一体に設けられる。ハウジング１６ａ内には圧縮バネ２２で下方に付勢される解除スイッチ１７（解除部）が上下にスライド移動可能に設けられる。解除スイッチ１７の前面側には平坦な当接部１７ａと、当接部１７ａの下方を切欠いた逃げ部１７ｂとが形成される。
【００３０】
内筒１５の周面には凹部１５ａが形成される。外筒１６には内筒１５を下端に配した際に凹部１５ａに面した貫通孔１６ｂが設けられる。球状の係合子２３は貫通孔１６ｂを貫通して凹部１５ａに係合する。圧縮バネ２２の付勢により下端に配される解除スイッチ１７は当接部１７ａが係合子２３と当接する。これにより、係合子２３が後退できないため凹部１５ａとの係合を保持して内筒１５の位置がロックされる。従って、凹部１５ａ及び係合子２３により延長管２を短縮した状態をロックするロック機構が構成される。
【００３１】
圧縮バネ２２の付勢力に抗して解除スイッチ１７を上昇させると、逃げ部１７ｂが係合子２３に対向する。この時、手元把手３を引き上げると係合子２３が逃げ部１７ｂに退避し、手元把手３及び内筒１５が上昇する。これにより、延長管２を伸長することができる。係合子２３を逃げ部１７ｂに退避する方向に付勢する付勢手段を設けてもよい。尚、本体把手１１の前端には上昇する解除スイッチ１７との干渉を回避する溝部１１ａが形成されている。また、解除スイッチ１７は貫通孔１６ｂと逃げ部１７ｂとに跨る係合子２３によって上昇した位置で保持される。
【００３２】
上記構成の縦型電気掃除機１において、縦型電気掃除機１の収納時には本体部１０に取り付けられた延長管２が短縮され、本体部１０が略鉛直に立設される。掃除を行う際に使用者は本体把手１１を把持して縦型電気掃除機１を運搬し、吸込口体５を所望の床面に設置する。本体把手１１を手で支持して傾倒する本体部１０を支え、手を前方へスライドして解除スイッチ１７と本体把手１１とが同時に握られる。これにより、係合子２３と凹部１５ａとの係合が解除され、延長管２の伸縮のロックが解除される。この状態で、手元把手３を上方へ引き上げると延長管２を伸長することができる。
【００３３】
本体把手１１に設けたスイッチ２１をオンすると電動送風機７の駆動により床面の塵埃が吸込口体５から吸引される。吸込口体５から吸引された塵埃は吸込口経路１２及び導入口１４を介して集塵室８に導かれる。また、延長管２を本体部１０から取り外すと、開口した下端面２ａから塵埃が吸引される。延長管２の下端面２ａから吸引された塵埃は延長管２、伸縮パイプ４、延長管経路１３及び導入口１４を介して集塵室８に導かれる。
【００３４】
掃除が終了すると延長管２を取り外していた場合は下端面２ａが差込口６に差し込まれ、係止溝１９にフック１８が係止される。また、手元把手３が押し下げられ、凹部１５ａが係合子２３に対向すると、解除スイッチ１７が圧縮バネ２２の付勢により降下して係合子２３と凹部１５ａとが係合する。そして、縦型電気掃除機１は本体把手１１を把持して運搬され、所定位置に収納される。
【００３５】
本実施形態によると、延長管２の伸縮をロックするロック機構の解除スイッチ１７を延長管２に対して本体把手１１と同じ側の本体把手１１近傍に設けたので、縦型電気掃除機１を運搬して所望の床面に設置した後、延長管２の反対側へ回り込む必要がなく簡単に延長管２を伸長して掃除を開始することができる。従って、縦型電気掃除機１の利便性を向上することができる。
【００３６】
また、本体把手１１を把持する手で解除スイッチ１７を操作できるので、縦型電気掃除機１を運搬して床面に設置した際に片手で本体把持部１１を支持しながら延長管２のロックを解除することができる。従って、縦型電気掃除機１の転倒を簡単に防止することができる。
【００３７】
また、外筒１６を本体部１０に取り付けて内筒１５のスライドにより延長管２を伸縮し、外筒１６に解除スイッチ１７を設けたので、解除スイッチ１７の位置を一定に保持することができる。従って、解除スイッチ１７を安定して操作することができ、操作性の低下を防止することができる。
【００３８】
また、延長管２の下端面２ａが嵌合する差込口６を本体部１０の下部に設け、本体部１０の上部に係止するフック１８を延長管２の周面に設けたので、延長管２の位置を簡単に一定に保持することができる。
【００３９】
尚、図１において、コードリール９の引出口９ａは被掃除面からの高さＨ１が５００〜６００ｍｍの位置に設けられている。これにより、コードリール９を引き出す際に使用者は屈む必要がなく、縦型電気掃除機１の使用性が向上する。また、本体把手１１の上面は被掃除面からの高さＨ３が６００〜８００ｍｍの位置に設けられている。これにより、縦型電気掃除機１を運搬する際や解除スイッチ１７を操作する際に使用者は屈む必要がなく、縦型電気掃除機１の使用性が向上する。尚、Ｈ２は被掃除面から本体部１０上面までの高さを示している。
【産業上の利用可能性】
【００４０】
本発明によると、使用者が把持する手元把手の位置を収納時と掃除時で可変できる縦型電気掃除機に利用することができる。
【図面の簡単な説明】
【００４１】
【図１】本発明の実施形態の縦型電気掃除機を示す側面断面図
【図２】本発明の実施形態の縦型電気掃除機の本体部の上部前面を示す斜視図
【図３】本発明の実施形態の縦型電気掃除機の本体部の上部背面を示す斜視図
【図４】本発明の実施形態の縦型電気掃除機の延長管を示す断面図
【符号の説明】
【００４２】
１    縦型電気掃除機
２    延長管
３    手元把手
４    伸縮ホース
５    吸込口体
６    差込口
７    電動送風機
８    集塵室
９    コードリール
１０    本体部
１１    本体把手
１２    吸込口経路
１３    延長管経路
１５    内筒
１５ａ  凹部
１６    外筒
１６ｂ  貫通孔
１７    解除スイッチ
１７ａ  当接部
１７ｂ  逃げ部
１８    フック
１９    係止溝
２２    圧縮バネ
２３    係合子
【図１】
2007301266.tif 000003
【図２】
2007301266.tif 000004
【図３】
2007301266.tif 000005
【図４】
2007301266.tif 000006